(57)【要約】      （修正有）【課題】安価で簡易な構造でありながら、しこり等の異常を手指で確認しやすい乳癌触診用グローブを提供する。【解決手段】乳癌の触診に際して触感を向上させる触診部１０Ａと、触診を行う手指に前記触診部１０Ａを保持させるための手指保持部１０Ｂとを備える乳癌触診用グローブ１Ａであって、積層されて、手指を挿入するための開口部を除いてその周縁部が固着された三枚のシート１１、１２、１３からなり、前記触診部１０Ａが、前記三枚のシート１１、１２、１３のうち一方の外側に位置する第１シート１１と、中間に位置する第２シート１２とから形成され、前記手指保持部１０Ｂが、前記第２シート１２と、前記三枚のシートのうち他方の外側に位置する第３シート１３とから形成され、少なくとも前記第１シート１１と第３シート１３とが同素材から構成される。【選択図】図６
0003168651.tif 000002
【実用新案登録請求の範囲】
【請求項１】
乳癌の触診に際して触感を向上させる触診部と、触診を行う手指に前記触診部を保持させるための手指保持部と、を備える乳癌触診用グローブであって、
積層されて、手指を挿入するための開口部を除いてその周縁部が固着された三枚のシートからなり、
前記触診部が、前記三枚のシートのうち一方の外側に位置する第１シートと、中間に位置する第２シートと、から形成され、
前記手指保持部が、前記第２シートと、前記三枚のシートのうち他方の外側に位置する第３シートと、から形成され、
少なくとも前記第１シートと第３シートとが同素材から構成されることを特徴とする乳癌触診用グローブ。
【請求項２】
第１指収容部と、第２乃至第５指収容部を備えるミトン形状に形成されることを特徴とする請求項１に記載の乳癌触診用グローブ。
【請求項３】
前記触診部及び前記手指保持部を換気するために、前記三枚のシートを貫通する通気穴が設けられていることを特徴とする請求項１又は２に記載の乳癌触診用グローブ。
【考案の詳細な説明】
【技術分野】
【０００１】
本考案は、乳癌発見の目的で行われる触診を補助し、しこり等の凹凸を検知しやすくする乳癌触診用グローブに関する。
【背景技術】
【０００２】
非婚傾向や高齢出産の増加等、ライフスタイルの変化によって乳癌罹患率は年々増加し、近年では、乳癌は日本人女性が最もかかりやすい癌だと言われている。一方で、乳癌は触診によって自分で簡単に早期発見できる癌でもある。触診によって実際に乳房に手指で触れることにより、しこり等の異常があるか否か簡易に確認することが可能であり、このような触診は医療機関で行われるのみならず、自宅等で自分で簡単に行うことができるため、実施が広く推奨されている。乳癌は、早期に発見し治療することができれば約九割は治癒すると言われるため、日常的に行う自己検診の意義は大きい。
【０００３】
上記のような乳癌の触診を補助する用具としては、例えば、内部に潤滑液及び空気を密閉した袋体と、この袋体に手を固定するためのカバーやベルト等とを備え、乳房の肌と手指間の摩擦を軽減することにより、しこり等の異常を手指の感覚に伝わりやすくした乳癌検診用具が開示されている（特許文献１）。
【先行技術文献】
【特許文献】
【０００４】
【特許文献１】特許第４４６７４５７号公報
【考案の概要】
【考案が解決しようとする課題】
【０００５】
しかしながら、上記従来の乳癌検診用具では、袋体内部に潤滑液を封入しているために、袋体が傷ついて液漏れする恐れがある。また、時間経過とともに、内部の液体は蒸発してしまう。さらに、潤滑液を封入するための製造コストがかかるという問題もあった。
【０００６】
そこで本考案は、上記状況に鑑みて、安価で簡易な構造でありながら、しこり等の異常を手指で確認することができる乳癌触診用グローブを提供することを目的とする。
【課題を解決するための手段】
【０００７】
上記課題を解決するために、本考案は、乳癌の触診に際して触感を向上させる触診部と、触診を行う手指に前記触診部を保持させるための手指保持部と、を備える乳癌触診用グローブであって、積層されて、手指を挿入するための開口部を除いてその周縁部が固着された三枚のシートからなり、前記触診部が、前記三枚のシートのうち一方の外側に位置する第１シートと、中間に位置する第２シートと、から形成され、前記手指保持部が、前記第２シートと、前記三枚のシートのうち他方の外側に位置する第３シートと、から形成され、少なくとも前記第１シートと第３シートとが同素材から構成されることを特徴とする乳癌触診用グローブを提供する。
【０００８】
ここで、前記乳癌触診用グローブは、第１指収容部と、第２乃至第５指収容部を備えるミトン形状に形成されるのが好適である。
【０００９】
また、前記触診部及び前記手指保持部を換気するために、前記三枚のシートを貫通する通気穴を設けるようにしても良い。
【考案の効果】
【００１０】
本考案によれば、乳房上での手指の滑動を容易にして、微細な凹凸やしこり等の異変を手指の感覚に伝わりやすくし、乳癌の触診を簡便にするとともに、安価かつ簡易な構造で使いやすい乳癌触診用グローブを提供することを可能とする。
【図面の簡単な説明】
【００１１】
【図１】本考案の一実施形態に係る乳癌触診用グローブの構成を示す全体概略図である。
【図２】図１に示す乳癌触診用グローブのＡ−Ａ線断面模式図（横断面模式図）である。
【図３】図１に示す乳癌触診用グローブのＢ−Ｂ線断面模式図（縦断面模式図）である。
【図４】図１に示す乳癌触診用グローブを手に装着して実際に使用する状態を例示する模式図である。
【図５】図１に示す乳癌触診用グローブを用いて乳房の触診を行う状態を表す模式図である。
【図６】本考案の乳癌触診用グローブを両手で使用する際の態様について説明するための模式図である。
【考案を実施するための形態】
【００１２】
以下、本考案の実施の形態について、図面を参照しながら詳細に説明する。
【００１３】
図１は、本考案の一実施形態に係る乳癌触診用グローブの構成を示す全体概略図である。また、図２は図１のＡ−Ａ線断面模式図（横断面模式図）、図３は図１のＢ−Ｂ線断面模式図（縦断面模式図）である。さらに、図４は、この乳癌触診用グローブを手に装着して実際に使用する状態を例示する模式図である。
【００１４】
これらの図に示すように、本考案の乳癌触診用グローブ１は、乳房上での手指の滑動を容易にして触感を向上させる触診部１０Ａと、触診を行う手指に触診部１０Ａを保持させる手指保持部１０Ｂとを、積層された三枚のシート１１、１２、１３より形成している。これらのシートのうち、一方の外側に位置して被験者の乳房に接触させるシートが接触シート（第１シート）１１、三枚の中間に位置するのが滑動シート（第２シート）１２、他方の外側に位置し手指を覆ってグローブ１を保持させるのが手指保持シート（第３シート）１３である。
【００１５】
これらのシート１１、１２、１３は、図１に示すように開口部１６、１７を除いた周縁部が熱溶着や接着剤によって固着され、手袋（ミトン）状に裁断されている。そのため、各シート間は、固着部１４で閉じられて袋状になっている。また、ミトンを形成するために、使用者の親指を入れるための第１指収容部１８Ａと、残りの指を入れるための第２乃至第５指収容部１８Ｂが設けられている。乳癌検知における触診は一方向にのみ行うものではなく、乳房全体を多方向に触れて確認する必要があるが、このように乳癌触診用グローブ１をミトン状に形成することで、乳癌触診用グローブ１が手から外れることを防ぎ、自由に触診することが可能となる。
【００１６】
ここで、触診部１０Ａは、接触シート１１と滑動シート１２より構成されるとともに、触診部開口１６が形成されている。また、手指保持部１０Ｂは、滑動シート１２と手指保持シート１３から構成されるとともに、手指保持部開口１７が形成されている。
【００１７】
また、各シート１１、１２、１３には、触診部１０Ａでは空気を導入するため、さらに手指保持部１０Ｂでは手指の湿度を発散させるために、通気穴１５が設けられている。通気穴１５は、製造時に三枚のシート１１、１２、１３を重ねた状態で形成するため、接触シート１１には通気穴１５Ａ、滑動シート１２には通気穴１５Ｂ、手指保持シート１３には通気穴１５Ｃが一度に開けられる（図２参照）。なお、この通気穴１５は、触診を行う際に手指と乳房が直接触れないよう、指先が当たりにくい位置（下方の、手のひらに対向する位置等）に配置するのが好適である。
【００１８】
ここで、接触シート１１と滑動シート１２は、密着することなく相互に滑動しやすいものを用いる必要がある。また、しこり等の凹凸を感度良く検知できるよう、薄く軟らかい素材である必要がある。例えば、ポリエチレン等の合成樹脂素材を用いるのが好適である。
【００１９】
なお、ここでは使用者が手指を挿入しやすいよう、開口部１６、１７近傍において滑動シート１２が他のシートよりも長めになっている例を示している（図３参照）。
【００２０】
上記構成の乳癌触診用グローブ１を用いる際には、図４に示すように、手指保持部開口１７から手指保持部１０Ｂに使用者の手指を入れ、接触シート１１側を触診する乳房に接触させて触診する。
【００２１】
図５は、この乳癌触診用グローブ１を用いて乳房の触診を行う状態を表す模式図である。ここでは、乳房２０１に乳癌のしこり２０２がある状態を図示している。
【００２２】
通常、手指で直接乳房２０１に触れて触診する場合、汗などで摩擦が大きいために滑りが悪く、しこり２０２を検知しやすい状態とは言えない。シートを一枚だけ介在させた場合でも、乳房２０１とシート、シートと手指がそれぞれ同様に摩擦等で滑動しにくい。しかし図５に示すように、使用者の手指を手指保持部１０Ｂに挿入した状態で乳癌触診グローブ１を乳房２０１に当て、接触シート１１と滑動シート１２を介した状態で使用者の手指を乳房２０１に触れさせると、接触シート１１に対して滑動シート１２が容易に滑るために手指は自由に乳房２０１上を動くことが可能になる。これによって乳房２０１の異常が手指に伝わりやすくなり、しこり２０２を発見しやすくなる。
【００２３】
なお、触診部１０Ａに湿気等がこもると、接触シート１１に対して滑動シート１２が滑りにくくなるため、通気穴１５と触診部開口１６を設けることで通気性を保っている。
【００２４】
上記では、ミトン状の乳癌触診用グローブ１について図示して説明したが、本考案の乳癌触診用グローブの形状はこれに限らず、触診を行う手指を覆う形状さえ有していれば足りるものである。例えば、五本指手袋状であっても良い。
【００２５】
なお、乳癌触診用グローブ１を手袋状に形成すると、使用者の一方側の手にのみ親指の位置が合致しているため、使用可能な手が限られてしまい、利き手の都合等から場合によっては右手用と左手用のグローブを両方用意する必要が出るという問題があった。
【００２６】
そこで、本考案では乳癌触診用グローブを構成するシートのうち、好適には全てのシートを、少なくとも外側に位置するシート（接触シート、手指保持シート）を、同素材で構成する。少なくとも外側シートを同素材にすることにより、一つの乳癌触診用グローブを左右どちらの手でも使用できるようになる。
【００２７】
図６は、本考案の乳癌触診用グローブを両手で使用する際の態様について説明するための模式図である。図６に示すように、乳癌触診用グローブ１Ａは、積層された三枚のシート３１Ａ、３１Ｂ、３２より構成される。シート３１Ａ及びシート３１Ｂは乳癌触診用グローブ１Ａの外側に位置し、シート３２はそれらの真中に位置する。このシート３１Ａ、３１Ｂ、３２は、それぞれ同素材の合成樹脂素材を重ねて固着部１４で固着されるとともに、ミトン形に裁断されている。そして、シート３１Ａ、３１Ｂ、３２間には、空間４１、４２が形成されている。
【００２８】
ここで、使用者が右手５０１を用いて触診を行う場合は、右手５０１を空間４１に挿入する。このとき、外側シート３１Ｂが触診シート１１となり、中間シート３２は滑動シート１２、外側シート３１Ａが手指保持シート１３の役割を果たす。また、空間４１が手指保持部１０Ｂであり、空間４２が触診部１０Ａとなる。
【００２９】
逆に、使用者が左手５０２を用いて触診を行う場合は、左手５０２を空間４２に挿入する。このとき、外側シート３１Ａが触診シート１１となり、中間シート３２は滑動シート１２、外側シート３１Ｂが手指保持シート１３の役割を果たす。また、空間４１が触診部１０Ａであり、空間４２が手指保持部１０Ｂとなる。
【００３０】
このように、外側シート３１Ａ及び３１Ｂを同素材で構成し、裏表を返して触診部１０Ａと手指保持部１０Ｂとを反転させることにより、一つの乳癌触診用グローブ１Ａでも、左右両方の手で用いることが可能となる。
【００３１】
このように、本考案によれば、乳房上での手指の滑動を容易にして、微細な凹凸やしこり等の異変を手指の感覚に伝わりやすくし、乳癌の触診を簡便にするとともに、安価かつ簡易な構造で使いやすい乳癌触診用グローブを提供することを可能とする。
【００３２】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００３３】
本考案は、乳癌発見の目的で行われる触診を補助し、しこり等の凹凸を検知しやすくする乳癌触診用グローブに関し、産業上の利用可能性を有する。
【符号の説明】
【００３４】
１      乳癌触診用グローブ
１Ａ    乳癌触診用グローブ
１０Ａ  触診部
１０Ｂ  手指保持部
１１    接触シート（第１シート）
１２    滑動シート（第２シート）
１３    手指保持シート（第３シート）
１４    固着部
１５    通気穴
１６    触診部開口
１７    手指保持部開口
１８Ａ  第１指収容部
１８Ｂ  第２乃至第５指収容部
３１Ａ  外側シート
３１Ｂ  外側シート
３２    中間シート
４１    空間
４２    空間
【図１】
0003168651.tif 000003
【図２】
0003168651.tif 000004
【図３】
0003168651.tif 000005
【図４】
0003168651.tif 000006
【図５】
0003168651.tif 000007
【図６】
0003168651.tif 000008